(57)【特許請求の範囲】
【請求項１】
冷却装置の設置予定領域の上方に配置される天井材と、
前記天井材と前記設置予定領域との間に配置される遮蔽手段と、
前記遮蔽手段を天井材から吊り下げる吊下手段と、
を具備し、
前記遮蔽手段は、
平面視において前記設置予定領域の全体と重複すると共に、外縁部が前記設置予定領域の外縁部よりも外側方に配置され、
平面視における前記遮蔽手段の外縁部に位置し、前記吊下手段が連結される平面視矩形状の枠体と、
前記枠体の下面に固定される上面が平面視において前記枠体の下面と枠状に当接すると共に、前記上面のうち、平面視において前記設置予定領域と重複する部分が、前記枠体との当接部分の外側に出ないように形成されるボード材と、
を具備する、
建物。
【請求項２】
前記遮蔽手段は、
前記設置予定領域との対向面に形成された低放射層を具備する、
請求項１に記載の建物。
【請求項３】
前記低放射層は、
０．２以上、かつ０．３以下の放射率となるように形成される、
請求項２に記載の建物。
【請求項４】
平面視における前記遮蔽手段の外縁部から前記設置予定領域の外縁部までの距離をｘとし、
前記遮蔽手段から前記設置予定領域までの鉛直方向に沿った距離をｙとすると、
前記遮蔽手段は次式を満たすように配置される、
請求項１から請求項３までのいずれか一項に記載の建物。
ｘ≧ｙ／８
【請求項５】
前記遮蔽手段を昇降可能に支持する昇降機構をさらに具備する、
請求項１から請求項４までのいずれか一項に記載の建物。
【請求項６】
前記遮蔽手段は、
照明、広告又は前記遮蔽手段を飾る装飾の少なくともいずれか一つを具備する、
請求項１から請求項５までのいずれか一項に記載の建物。
【請求項７】
前記設置予定領域には、
前記冷却装置として、陳列された物を冷却可能なショーケースが設置される、
請求項１から請求項６までのいずれか一項に記載の建物。
【発明の詳細な説明】
【技術分野】
【０００１】
本発明は、冷却装置の設置予定領域の上方に配置される天井材を具備する建物の技術に関する。
【背景技術】
【０００２】
従来、冷却装置の上方に配置される天井材を具備する建物の技術は公知となっている。例えば、特許文献１に記載の如くである。
【０００３】
特許文献１に開示される建物の床部には、商品収納部を形成するケースと当該ケースとは別体で設けられるコンプレッサとが冷媒配管で接続される平型ショーケースが設置されている。前記建物の天井には、冷媒配管が配設される。
【先行技術文献】
【特許文献】
【０００４】
【特許文献１】特開２０００−８３７７３号公報
【発明の概要】
【発明が解決しようとする課題】
【０００５】
しかしながら、前記建物においては、ショーケースから放射される冷熱が天井に当たって天井の温度が低下してしまう。これにより、天井の温度が露点温度以下まで低下して、天井に結露が発生してしまう可能性があった。また、前記結露の発生によって、天井にカビが発生してしまう可能性があった。
【０００６】
本発明は、以上の如き状況を鑑みてなされたものであり、その解決しようとする課題は天井材に結露が発生することを抑制可能な建物を提供するものである。
【課題を解決するための手段】
【０００７】
本発明の解決しようとする課題は以上の如くであり、次にこの課題を解決するための手段を説明する。
【０００８】
即ち、冷却装置の設置予定領域の上方に配置される天井材と、前記天井材と前記設置予定領域との間に配置される遮蔽手段と、前記遮蔽手段を天井材から吊り下げる吊下手段と、を具備し、前記遮蔽手段は、平面視において前記設置予定領域の全体と重複すると共に、外縁部が前記設置予定領域の外縁部よりも外側方に配置され、平面視における前記遮蔽手段の外縁部に位置し、前記吊下手段が連結される平面視矩形状の枠体と、前記枠体の下面に固定される上面が平面視において前記枠体の下面と枠状に当接すると共に、前記上面のうち、平面視において前記設置予定領域と重複する部分が、前記枠体との当接部分の外側に出ないように形成されるボード材と、を具備するものである。
【０００９】
前記遮蔽手段は、前記設置予定領域との対向面に形成された低放射層を具備することとしてもよい。
このような構成により、遮蔽手段に結露が発生することを抑制できる。
【００１０】
前記低放射層は、０．２以上、かつ０．３以下の放射率となるように形成されることとしてもよい。
このような構成により、遮蔽手段に結露が発生することを効果的に抑制できる。
【００１２】
平面視における前記遮蔽手段の外縁部から前記設置予定領域の外縁部までの距離をｘとし、前記遮蔽手段から前記設置予定領域までの鉛直方向に沿った距離をｙとすると、前記遮蔽手段は次式を満たすように配置されることとしてもよい。
ｘ≧ｙ／８
このような構成により、天井材に結露が発生することを効果的に抑制できる。
【００１４】
前記遮蔽手段を昇降可能に支持する昇降機構をさらに具備することとしてもよい。
このような構成により、遮蔽手段の高さを簡単に調整することができる。
【００１５】
前記遮蔽手段は、照明、広告又は前記遮蔽手段を飾る装飾の少なくともいずれか一つを具備することとしてもよい。
このような構成により、遮蔽手段を有効に活用することができる。
【００１６】
前記設置予定領域には、前記冷却装置として、陳列された物を冷却可能なショーケースが設置されることとしてもよい。
このような構成により、冷熱が放射され易い冷却装置であるショーケースが設置予定領域に設置された場合でも、天井材に結露が発生することを抑制できる。
【発明の効果】
【００１７】
天井材に結露が発生することを抑制できる。
【図面の簡単な説明】
【００１８】
【図１】建物を示した正面断面図。
【図２】（ａ）遮蔽板及びショーケースを示した拡大正面断面図。（ｂ）同じく、平面図。
【図３】ショーケースから放射される冷熱の移動方向を示した拡大正面断面図。
【図４】第一変形例に係る建物を示した拡大正面断面図。
【図５】遮蔽板を下降させた状態を示した拡大正面断面図。
【図６】第二変形例に係る建物を示した拡大正面断面図。
【発明を実施するための形態】
【００１９】
以下の説明においては、図中に記した矢印に従って、上下方向、左右方向及び前後方向をそれぞれ定義する。
【００２０】
以下では、本発明の一実施形態に係る建物１０について説明する。
【００２１】
図１に示すように、本実施形態に係る建物１０は、スーパーやコンビニエンスストア等の店舗として用いられる平屋構造の建物である。建物１０は、基礎１１、土台１２、床部１３、外壁部１４、天井材１５、屋根１６、遮蔽板２０及び吊りボルト３０等を具備する。
【００２２】
基礎１１は、建物１０の自重を地盤Ｇに伝えて建物１０を地盤Ｇに固定するためのものである。基礎１１は、ベース部１１ａ及び立ち上がり部１１ｂ等を具備する。ベース部１１ａは、その下部が地盤Ｇ内に配置されて建物１０の底面を形成する。立ち上がり部１１ｂは、ベース部１１ａの外縁部から上方向に延びるように形成される。
【００２３】
土台１２は、基礎１１の立ち上がり部１１ｂの上面に配置される部材（角材）である。土台１２は、アンカーボルト（不図示）によって立ち上がり部１１ｂに固定される。
【００２４】
床部１３は、建物１０の床を成す部材である。床部１３は、合板等によって構成され、土台１２に固定される。床部１３は、その板面を上下方向に向けて配置される。床部１３には、ショーケースＡの設置予定領域１３ａが設定される。
【００２５】
設置予定領域１３ａは、ショーケースＡを設置するために便宜上設定される領域（床部１３の所定の領域）である。設置予定領域１３ａは、床部１３の床面から所定の長さだけ上方向に延びるように形成された立体的な空間として設定される。設置予定領域１３ａは、長手方向を前後方向に向けると共に短手方向を左右方向に向けた平面視略矩形状に形成される（図２（ｂ）参照）。設置予定領域１３ａは、建物１０に設置される予定のショーケースＡの大きさや形状（サイズ）に応じて予めその大きさが適宜決定されている。
【００２６】
このような設置予定領域１３ａに設置されるショーケースＡは、図２（ａ）に示すように、陳列された商品Ａ１を内部で冷却するためのものである。ショーケースＡには、その上面が開口されると共に当該開口部分が常に開放されるオープンタイプの平型ショーケースが採用される。ショーケースＡは、コンプレッサ（不図示）や送風機（不図示）等を具備し、内部で冷気を循環可能に構成される。図２（ｂ）に示すように、ショーケースＡは、平面視略矩形状に形成される。
【００２７】
ショーケースＡは、その長手方向を設置予定領域１３ａの長手方向と同じ方向（前後方向）に向けると共にその短手方向を設置予定領域１３ａの短手方向と同じ方向（左右方向）に向けて配置される。ショーケースＡは、平面視において、その長手方向幅（前後方向幅）が設置予定領域１３ａの長手方向幅と同じ幅となるように形成される。また、ショーケースＡは、平面視において、その短手方向幅（左右方向幅）が設置予定領域１３ａの短手方向幅と同じ幅となるように形成される。すなわち、本実施形態では、平面視におけるショーケースＡの面積が設置予定領域１３ａの面積と一致する。なお、図１から後述する図６までにおいては、設置予定領域１３ａの全体を示すために、ショーケースＡを設置予定領域１３ａよりも小さく記載している。
ショーケースＡは、平面視においてその中心が設置予定領域１３ａの中心と重なるように配置される。これによって、ショーケースＡは、平面視において、その外縁部が設置予定領域１３ａの外縁部と重なるように配置される。また、ショーケースＡは、その高さ（上下方向幅）が設置予定領域１３ａの高さと同じ高さとなるように形成される。
【００２８】
図１に示すように、外壁部１４は、建物１０の外壁を成す部材である。外壁部１４は、土台１２に固定される。外壁部１４は、上方向に延びるように形成される。
【００２９】
天井材１５は、外壁部１４の上端部に固定される。天井材１５は、その板面を上下方向に向けて配置される。天井材１５は、建物１０の内部の全域に亘って形成される。
【００３０】
屋根１６は、建物１０の上端部に設けられる平屋根である。屋根１６は、その板面を上下方向に向けて配置される。
【００３１】
遮蔽板２０は、天井材１５に結露が発生することを抑制するためのものである。遮蔽板２０は、略板状に形成される。遮蔽板２０は、天井材１５とショーケースＡとの間に配置される。遮蔽板２０は、後述する吊りボルト３０を介して天井材１５に固定される。図２に示すように、遮蔽板２０は、枠体２１及びボード材２２を具備する。
【００３２】
枠体２１は、遮蔽板２０の上部に配置される。枠体２１は、複数の角材の端部同士を連結することで、平面視略矩形状に形成される。なお、図２（ｂ）においては、枠体２１の記載を省略している。
【００３３】
ボード材２２は、板面を上下方向に向けた略板状の部材である。ボード材２２は、平面視略矩形状に形成される。ボード材２２は、枠体２１の下面に固定される。ボード材２２は、低放射層２２ａを具備する。
【００３４】
低放射層２２ａは、その放射率がボード材２２の下面の放射率よりも低い部分である。低放射層２２ａは、その放射率が例えば０．２以上、かつ０．３以下となるように形成される。低放射層２２ａは、ボード材２２の下面の全域に形成される。本実施形態に係る低放射層２２ａは、ボード材２２の下面に放射率が低い材料（例えば、アルミニウム等）や塗料が塗布されることで形成される。
【００３５】
このように構成されるボード材２２（低放射層２２ａ）は、その長手方向を設置予定領域１３ａ（ショーケースＡ）の長手方向と同じ方向（前後方向）に向けて配置されると共に、その短手方向を設置予定領域１３ａの短手方向と同じ方向（左右方向）に向けて配置される。また、ボード材２２は、平面視においてその中心が設置予定領域１３ａの中心と重なるように配置される。
【００３６】
また、ボード材２２（低放射層２２ａ）は、その長手方向幅（前後方向幅）が設置予定領域１３ａ（ショーケースＡ）の長手方向幅よりも広くなるように形成される。また、ボード材２２は、その短手方向幅（左右方向幅）設置予定領域１３ａの短手方向幅よりも広くなるように形成される。すなわち、ボード材２２は、平面視においてその面積が設置予定領域１３ａの面積よりも大きくなるように形成される。
【００３７】
このようなボード材２２（低放射層２２ａ）は、平面視において設置予定領域１３ａ（ショーケースＡ）の全体と重なる。また、ボード材２２は、その外縁部が平面視において設置予定領域１３ａの外縁部よりも外側方に配置される。すなわち、ボード材２２の左端部は、設置予定領域１３ａの左端部よりも左方に配置される。また、ボード材２２の右端部は、設置予定領域１３ａの右端部よりも右方に配置される。また、ボード材２２の前端部は、設置予定領域１３ａの前端部よりも前方に配置される。また、ボード材２２の後端部は、設置予定領域１３ａの後端部よりも後方に配置される。このようなボード材２２の外縁部は、設置予定領域１３ａの外縁部との間に前後方向又は左右方向に沿った距離ｘを開けて配置される。
【００３８】
吊りボルト３０は、遮蔽板２０を天井材１５から吊り下げるためのものである。吊りボルト３０の上端部は、天井材１５と連結される。吊りボルト３０の下端部は、遮蔽板２０の枠体２１と連結される。
【００３９】
このような吊りボルト３０によって吊り下げられる遮蔽板２０は、枠体２１の上面と天井材１５の下面との間に上下方向に沿った距離ｈを空けて配置される。また、遮蔽板２０は、低放射層２２ａの下面と設置予定領域１３ａ（ショーケースＡ）の上面との間に上下方向に沿った距離ｙを空けて配置される。
【００４０】
次に、図３等を参照してショーケースＡが動作しているときの建物１０の状態について説明する。なお、図３に示す矢印は、冷熱の移動方向を示している。
【００４１】
ショーケースＡが動作すると、ショーケースＡの内部で冷気が循環して内部が低温となり、商品Ａ１が冷却される。このような状態において、図３に示すように、低温となったショーケースＡの内部から冷熱が放射される（冷放射される）。当該冷熱は、略上方向に移動、すなわち上昇する。
【００４２】
このような冷熱は、遮蔽板２０（ボード材２２）まで上昇して遮蔽板２０（低放射層２２ａ）に当たる。当該遮蔽板２０に当たった冷熱は、一部が反射されて略下方向に移動、すなわち下降する。また、遮蔽板２０で反射されなかった冷熱は、遮蔽板２０に伝達される。
【００４３】
これによれば、遮蔽板２０によって冷熱を遮ることができるため、天井材１５に冷熱が当たって天井材１５が冷却されてしまうことを抑制できる。これによって、天井材１５の下面が露点温度以下になることを抑制できるため、天井材１５に結露が発生することを抑制できる。従って、天井材１５にカビが発生することを抑制できる。
【００４４】
また、天井材１５が冷却されてしまうことを抑制することで、結露が発生し易い場合、すなわち露点温度が高くなり易い場合（例えば、天井材１５の遮蔽板２０と対向する部分の近傍に外気を導入する導入口が設けられている場合等）であっても、天井材１５に結露が発生することを抑制できる。
【００４５】
前述の如く、ボード材２２（低放射層２２ａ）は、平面視において設置予定領域１３ａの全体と重なる。これにより、平面視において設置予定領域１３ａの内側（外縁部よりも内側）を上昇する冷熱を全て遮ることができるため、天井材１５に当たる冷熱を効果的に減らすことができる。これにより、天井材１５に結露が発生することを効果的に抑制できる。
【００４６】
ここで、ショーケースＡの内部から放射された冷熱は、水平方向に広がりながら上昇する。そこで、本実施形態においては、遮蔽板２０を天井材１５から吊り下げて、遮蔽板２０をショーケースＡに接近させている。これによれば、ショーケースＡの内部から放射された冷熱が水平方向に大きく広がる前に、冷熱を遮ることができる。これによって、遮蔽板２０の外側方を通過する冷熱を減らすことができるため、天井材１５に当たる冷熱を効果的に減らすことができる。これにより、天井材１５に結露が発生することを効果的に抑制できる。
【００４７】
前述の如く、ボード材２２（低放射層２２ａ）は、その外縁部が平面視において設置予定領域１３ａの外縁部よりも外側方に配置される。これにより、設置予定領域１３ａの外側方に広がった冷熱を遮ることができるため、天井材１５に当たる冷熱を効果的に減らすことができる。
【００４８】
また、遮蔽板２０で反射された冷熱は、水平方向に広がりながら下降する。当該冷熱によって、遮蔽板２０よりも下方の空間を冷却することができるため、ショーケースＡの冷却効率を向上することができる。また、本実施形態においては、遮蔽板２０を天井材１５から吊り下げる等して遮蔽板２０で遮る（遮蔽板２０に当たる）冷熱を増やしている。これによって、より多くの冷熱を反射することができるため、遮蔽板２０よりも下方の空間を効果的に冷却することができる。
【００４９】
なお、本実施形態においては、枠体２１の上面と天井材１５の下面との距離ｈ（図２（ａ）参照）が５０ｃｍ以上となるように、遮蔽板２０を天井材１５に吊り下げている。これによれば、遮蔽板２０をショーケースＡに近付けることができるため、遮蔽板２０で遮ることができる冷熱を効果的に増やす（遮蔽板２０の外側方を通過する冷熱を効果的に減らす）ことができる。また、遮蔽板２０で反射される冷熱を増やして遮蔽板２０よりも下方の空間を効果的に冷却することができる。
【００５０】
また、本実施形態においては、枠体２１の上面と天井材１５の下面との距離ｈ（図２（ａ）参照）が１００ｃｍ以下となるように、遮蔽板２０を天井材１５に吊り下げている。これによって、遮蔽板２０がショーケースＡに必要以上に接近しないようにしている。これによれば、遮蔽板２０が来店者等の人体と接触し難くすることができる。
【００５１】
ここで、ショーケースＡから遮蔽板２０に伝達される熱量（冷熱によって遮蔽板２０から奪われる熱量）Ｗは、以下の数式１で算出することができる。
（数１）
Ｗ＝ψε１ε２δ（Ｔ１４−Ｔ２４）
【００５２】
なお、前記数式１に係るψは、ショーケースＡから遮蔽板２０への形態係数である。前記数式１に係るε１は、ショーケースＡの放射率である。前記数式１に係るε２は、遮蔽板２０の下面の放射率である。前記数式１に係るδは、ステファンボルツマン定数である。前記数式１に係るＴ１は、ショーケースＡの絶対温度である。前記数式１に係るＴ２は、遮蔽板２０の絶対温度である。
【００５３】
前記数式１からも明らかなように、遮蔽板２０の下面の放射率ε２を低くすることで、ショーケースＡから遮蔽板２０に伝達される熱量Ｗを減らすことができる。そこで、本実施形態においては、遮蔽板２０の下面に放射率が低い低放射層２２ａを形成し、遮蔽板２０の下面の放射率ε２を低くしている。本実施形態では、放射率が例えば０．２以上、かつ０．３以下となるように低放射層２２ａを形成している。
【００５４】
これによれば、ショーケースＡから遮蔽板２０に伝達される熱量Ｗを減らすことができるため、遮蔽板２０が冷熱によって冷却され難くすることができる。これによって、遮蔽板２０（ボード材２２）の下面が露点温度以下になることを抑制できるため、遮蔽板２０に結露が発生することを効果的に抑制できる。また、低放射層２２ａの放射率を低くすることで、低放射層２２ａに当たった冷熱の多くを反射することができるため、遮蔽板２０よりも下方の空間を効果的に冷却することができる。
【００５５】
また、前記数式１に係る形態係数ψは、ショーケースＡから放射される全熱量のうち、遮蔽板２０に当たる熱量の割合を示す係数である。前記数式１に係る形態係数ψは、０から１までの値をとる。前記数式１に係る形態係数ψは、１に近い値であればほとんどの冷熱が遮蔽板２０に当たることを示し、０に近い値であればほとんどの冷熱が遮蔽板２０に当たらないことを示すものとなる。本実施形態においては遮蔽板２０に多くの冷熱を当てることが好ましいため、前記数式１に係る形態係数ψは、１に近い値であることが好ましい。
【００５６】
このような前記数式１に係る形態係数ψは、図２（ａ）に示す低放射層２２ａの下面と設置予定領域１３ａの上面との距離ｙが短くなれば１に近い値となる。また、前記数式１に係る形態係数ψは、低放射層２２ａの面積が大きくなれば（図２に示すボード材２２の外縁部と設置予定領域１３ａの外縁部との距離ｘが長くなれば）１に近い値となる。
【００５７】
そこで、本実施形態に係る建物１０においては、図２に示すボード材２２の外縁部と設置予定領域１３ａの外縁部との距離ｘと、低放射層２２ａの下面と設置予定領域１３ａの上面との距離ｙとが以下の数式２を満たすように、遮蔽板２０を配置している。
（数２）
ｘ≧ｙ／８
【００５８】
これによれば、前記数式１に係る形態係数ψを１に近付けることができる。すなわち、ショーケースＡから放射された冷熱の多くを遮蔽板２０に当てることが可能となるため、天井材１５に当たる冷熱を効果的に減らすことができる。
【００５９】
なお、本実施形態においては、以下の数式３を満たすように、遮蔽板２０を配置している。
（数３）
ｘ＝ｙ／８
【００６０】
これによって、遮蔽板２０の形状をコンパクトにしつつ、前記数式１に係る形態係数ψが小さくならないようにすることができる。これによれば、製造コストを抑制することができると共に、天井材１５に当たる冷熱を効果的に減らすことができる。
【００６１】
以上の如く、本実施形態に係る建物１０は、ショーケースＡ（冷却装置）の設置予定領域１３ａの上方に配置される天井材１５と、前記天井材１５と前記設置予定領域１３ａとの間に配置される遮蔽板２０（遮蔽手段）と、を具備するものである。
【００６２】
このように構成することにより、ショーケースＡから放射された冷熱を遮蔽板２０で遮ることができる。これにより、ショーケースＡから放射された冷熱によって天井材１５が冷却されることを抑制できるため、天井材１５に結露が発生することを抑制できる。
【００６３】
また、前記遮蔽板２０は、下面（前記設置予定領域１３ａとの対向面）に形成された低放射層２２ａを具備するものである。
【００６４】
このように構成することにより、ショーケースＡから放射された冷熱の多くを遮蔽板２０で反射することが可能となる。これによれば、ショーケースＡから遮蔽板２０に伝達される熱量Ｗを減らすことができるため、ショーケースＡから放射された冷熱によって遮蔽板２０が冷却されることを抑制できる。これによって、遮蔽板２０に結露が発生することを抑制できる。
【００６５】
また、前記低放射層２２ａは、０．２以上、かつ０．３以下の放射率となるように形成されるものである。
【００６６】
このように構成することにより、ショーケースＡから放射された冷熱を遮蔽板２０でより多く反射することが可能となる。これによれば、ショーケースＡから遮蔽板２０に伝達される熱量Ｗを効果的に減らすことができるため、ショーケースＡから放射された冷熱によって遮蔽板２０が冷却されることを効果的に抑制できる。これによって、遮蔽板２０に結露が発生することを効果的に抑制できる。
【００６７】
また、前記遮蔽板２０は、平面視において前記設置予定領域１３ａの全体と重複すると共に、外縁部が前記設置予定領域１３ａの外縁部よりも外側方に配置されるものである。
【００６８】
このように構成することにより、平面視において設置予定領域１３ａの内側を上昇する冷熱と、設置予定領域１３ａの外縁部よりも外側方に広がりながら上昇する冷熱とを遮蔽板２０で遮ることが可能となる。これによって、遮蔽板２０でより多くの冷熱を遮ることができるため、天井材１５に当たる冷熱を減らすことができる。このため、天井材１５に結露が発生することを効果的に抑制できる。
【００６９】
また、平面視における前記遮蔽板２０の外縁部から前記設置予定領域１３ａの外縁部までの距離をｘとし、前記遮蔽板２０から前記設置予定領域１３ａまでの上下方向（鉛直方向）に沿った距離をｙとすると、前記遮蔽板２０は次式を満たすように配置されるものである。
ｘ≧ｙ／８
【００７０】
このように構成することにより、ショーケースＡから放射される全熱量のうち、遮蔽板２０に当たる熱量の割合を増やす（前記数式１に係る形態係数ψの値を１に近付ける）ことができる。このため、設置予定領域１３ａの外縁部よりも外側方に広がりながら上昇する冷熱を遮蔽板２０で効果的に遮ることが可能となる。これによって、天井材１５に当たる冷熱を効果的に減らすことができるため、天井材１５に結露が発生することを効果的に抑制できる。
【００７１】
また、前記遮蔽板２０は、前記天井材１５から吊り下げられるものである。
【００７２】
このように構成することにより、建物１０の内部の全域に亘って形成される部材に遮蔽板２０を固定することができるため、遮蔽板２０の設置場所の自由度を高めることができる。これによれば、遮蔽板２０が設置可能であるか否かを考慮することなくショーケースＡを床部１３に設置することが可能となるため、ショーケースＡ（設置予定領域１３ａ）のレイアウト自由度も向上させることができる。
【００７３】
また、前記設置予定領域１３ａには、前記冷却装置として、陳列された商品Ａ１（物）を冷却可能なショーケースＡが設置されるものである。
【００７４】
このように構成することにより、ショーケースＡからの冷熱を遮蔽板２０で遮ることができる。これによって、冷熱が放射され易い冷却装置であるショーケースＡが設置予定領域１３ａに設置された場合でも、天井材１５に結露が発生することを抑制できる。
【００７５】
なお、本実施形態に係るショーケースＡは、冷却装置の実施の一形態である。
また、本実施形態に係る遮蔽板２０は、遮蔽手段の実施の一形態である。
また、本実施形態における上下方向は、鉛直方向に対応する。
【００７６】
以上、本発明の実施形態を説明したが、本発明は上記構成に限定されるものではなく、特許請求の範囲に記載された発明の範囲内で種々の変更が可能である。
【００７７】
例えば、建物１０は、図４に示す第一変形例に係る建物１１０のように、遮蔽板２０を昇降可能な昇降機構４０を具備していてもよい。第一変形例に係る建物１１０は、吊りボルト３０に替えて昇降機構４０を具備する。昇降機構４０は、支持部材４１、回転軸４２、ドラム４３及びワイヤー４４を具備する。
【００７８】
支持部材４１は、所定の連結部材を介して天井材１５に固定される。回転軸４２は、支持部材４１に回転可能に支持される。回転軸４２は、モータの駆動軸（不図示）と連結される。ドラム４３は、回転軸４２に固定され、回転軸４２の回転に伴って一体的に回転する。ワイヤー４４は、その上部がドラム４３に捲回されると共に、その下端部が遮蔽板２０の枠体２１に固定される。
【００７９】
このような第一変形例に係る建物１１０によれば、昇降機構４０を動作させることによって遮蔽板２０を昇降させることが可能となる。これによって、簡単に前記数式２（ｘ≧ｙ／８）を満たすように遮蔽板２０を建物１１０に設置することができる。
【００８０】
以上の如く、第一変形例に係る建物１１０は、前記遮蔽板２０を昇降可能に支持する昇降機構４０をさらに具備するものである。
【００８１】
このように構成することにより、昇降機構４０を動作させるだけで遮蔽板２０を昇降させることができるため、遮蔽板２０の高さを簡単に調整することができる。
また、第一変形例のようにオープンタイプの平型ショーケースが床部１３に設置される場合においては、図５に示すように、昇降機構４０を動作させて遮蔽板２０を下降させ、遮蔽板２０でショーケースＡを閉塞することができる。これによって、閉店時等にショーケースＡから冷気を漏れ難くしてショーケースＡの冷却効率を向上することができる。
【００８２】
また、遮蔽板２０は、図６に示す第二変形例に係る建物２１０の遮蔽板２２０のように、照明２３、広告２４及び装飾２５を具備していてもよい。
【００８３】
照明２３は、遮蔽板２０の下面における左右中途部に固定され、ショーケースＡに陳列された商品Ａ１に光を照射する。このような照明２３によって、商品Ａ１を明るく照らすことができる。
【００８４】
広告２４は、遮蔽板２０の前端部及び後端部に取り付けられる。このような広告２４によって、商品Ａ１等の情報を来店者に宣伝することができる。
【００８５】
装飾２５は、遮蔽板２０の左端部及び右端部に取り付けられる。このような装飾２５によって、ショーケースＡを目立たせることができる。
【００８６】
以上の如く、第二変形例に係る建物２１０において、前記遮蔽板２２０は、照明２３、広告２４又は前記遮蔽板２２０を飾る装飾２５の少なくともいずれか一つを具備するものである。
【００８７】
このように構成することにより、遮蔽板２２０を複数の用途に用いることが可能となる。これによって、遮蔽板２２０を有効に活用することができる。
また、第二変形例のようにショーケースＡに商品Ａ１が陳列されている場合においては、照明２３、広告２４及び装飾２５によって、商品Ａ１の購買意欲を促進することができる。
【００８８】
また、本実施形態において、建物１０は、平屋構造であるものとしたが、建物１０の構造や階数はこれに限定されるものでなく、二階建ての構造等であってもよい。また、建物１０は、スーパーやコンビニエンスストア等の店舗として用いられるものとしたが、建物１０の用途は、これに限定されるものでない。建物１０は、例えば、ショールーム等の用途に用いられるものであってもよい。
【００８９】
また、建物１０に設けられる屋根１６の形状は平屋根に限るものではなく、種々の形状の屋根を適用することが可能である。
【００９０】
また、本実施形態においては、板状の部材（遮蔽板２０）によってショーケースＡから放射される冷熱を遮るものとしたが、遮蔽手段の形状は、板状に限定されるものでなく、円板状や直方体状等であってもよい。
【００９１】
また、本実施形態において、遮蔽板２０は、枠体２１及びボード材２２を具備するものとしたが、遮蔽板２０の構成は、これに限定されるものでなく、板状の部材だけを具備するものであってもよい。また、前記板状の部材が放射率の低い材料によって構成されることで、遮蔽板２０の全体に低放射層２２ａが形成されるものであってもよい。
【００９２】
また、遮蔽板２０は、平面視において設置予定領域１３ａの全体と重なるものとしたが、遮蔽板２０が平面視において設置予定領域１３ａと重なる範囲は、これに限定されるものでなく、設置予定領域１３ａの一部と重なるものであってもよい。また、遮蔽板２０は、ショーケースＡから放射される冷熱を遮ることができれば、平面視において設置予定領域１３ａと重ならないものであってもよい。
【００９３】
また、本実施形態において、遮蔽板２０は、その板面を上下方向に向けて配置されるものとしたが、遮蔽板２０の姿勢は、これに限定されるものでなく、その板面を上下方向に対して傾斜する方向に向けて配置されていてもよい。
【００９４】
また、本実施形態において、枠体２１の上面と天井材１５の下面との距離ｈは、５０ｃｍ以上、かつ１００ｃｍ以下であるものとしたが、前記距離ｈの長さは、これに限定されるものでなく、天井材１５と床部１３との距離等に応じて適宜設定可能である。例えば、天井材１５と床部１３との距離が長い（天井が高い）場合には、前記距離ｈを１００ｃｍよりも長くしてもよい。
【００９５】
また、本実施形態において、遮蔽板２０は、天井材１５に吊り下げられるものとしたが、これに限定されるものでなく、屋根１６に吊り下げられるものであってもよい。また、遮蔽板２０は、外壁部１４やショーケースＡに取り付けられるものであってもよい。
【００９６】
また、ボード材２２及び低放射層２２ａは、平面視においてその面積が設置予定領域１３ａの面積よりも大きくなるように形成されるものとしたが、これに限定されるものでなく、設置予定領域１３ａの面積以下であってもよい。
【００９７】
また、本実施形態において、ボード材２２及び低放射層２２ａは、平面視略矩形状に形成されるものとしたが、ボード材２２及び低放射層２２ａの平面視における形状は、これに限定されるものでなく、平面視略正方形状や平面視略円形状等であってもよい。
【００９８】
また、低放射層２２ａを形成するための手段は、本実施形態に限定されるものでない。低放射層２２ａは、例えば、金属製の下地材に下面（ショーケースＡと対向する側の面）を磨いたアルミニウムの板を貼り付けることによって形成されるものであってもよい。
【００９９】
また、本実施形態において、遮蔽板２０は、低放射層２２ａを具備するものとしたが、遮蔽板２０の構成は、これに限定されるものでなく、低放射層２２ａを具備していなくてもよい。
【０１００】
また、本実施形態において、ショーケースＡは、平面視においてその長手方向幅が設置予定領域１３ａの長手方向幅と同じ幅となるように形成されるものとしたが、これに限定されるものでなく、設置予定領域１３ａの長手方向幅と異なる幅となるように形成されていてもよい。また、ショーケースＡは、平面視においてその短手方向幅が設置予定領域１３ａの短手方向幅と同じ幅となるように形成されるものとしたが、これに限定されるものでなく、設置予定領域１３ａの短手方向幅と異なる幅となるように形成されていてもよい。また、ショーケースＡは、その高さが設置予定領域１３ａの高さと同じ高さとなるように形成されるものとしたが、これに限定されるものでなく、設置予定領域１３ａの高さとは異なる高さとなるように形成されていてもよい。すなわち、予め想定していたショーケースＡとは異なる大きさや形状のショーケースＡを設置予定領域１３ａに設置してもよい。
【０１０１】
また、本実施形態において、ショーケースＡには商品Ａ１が陳列されるものとしたが、ショーケースＡに陳列される物の種類は、これに限定されるものでなく、商品の見本等であってもよい。
【０１０２】
また、本実施形態において、ショーケースＡは、上面が開口されるものとしたが、ショーケースＡの開口部分の位置は、これに限定されるものでなく、左面や前面等が開口されていてもよい。なお、天井材１５に向けて開放している冷却装置（平型ショーケース）が設置予定領域１３ａに設置される場合に、上述した実施形態に係る遮蔽板２０を適用することで、より実効的に効果を得ることができる。
【０１０３】
また、本実施形態において、ショーケースＡには、オープンタイプのショーケースが採用されるものとしたが、ショーケースＡの種類は、これに限定されるものでなく、開口部分が開閉可能なクローズドタイプのショーケースであってもよい。
【０１０４】
また、本実施形態において、設置予定領域１３ａには、ショーケースＡが設置されるものとしたが、設置予定領域１３ａに設置される冷却装置の種類は、これに限定されるものでなく、冷蔵庫等であってもよい。
【符号の説明】
【０１０５】
１０    建物
１３    床部
１３ａ  設置予定領域
１５    天井材
２０    遮蔽板（遮蔽手段）
２２ａ  低放射層
Ａ      ショーケース（冷却装置）
Ａ１    商品（陳列された物）
【図１】
0006778478.tif 000002
【図２】
0006778478.tif 000003
【図３】
0006778478.tif 000004
【図４】
0006778478.tif 000005
【図５】
0006778478.tif 000006
【図６】
0006778478.tif 000007